(57)【要約】【課題】鶏卵そのものを抽選媒体として、その１個づつ割る際の興味と期待感を抱かせることにより、購買者の購買意欲をそそるようにする。【解決手段】複数個の鶏卵を封入した包装容器へ、その生産者や賞味期限、包装日、包装場所などの必要な表示ラベルを一緒に封入又は貼り付けた包装鶏卵の販売促進システムであって、上記鶏卵のうちの少なくとも１個だけを養鶏用飼料に加える卵黄着色剤により、その卵黄の発色カラーが残余のそれと特別に異なる鶏卵として予じめ混在させると共に、その卵黄の発色カラーが特別に異なる鶏卵を封入した包装容器の上記表示ラベルには、包装鶏卵の販売店だけが残余のそれと識別できる識別子を予じめ付与して、上記包装鶏卵の購買者が購買した鶏卵を割り、その卵黄の発色カラーが特別に異なる鶏卵を発見して、その包装容器の表示ラベルを当選券として販売店へ申告した時、上記購買者に景品やその他の特典を贈呈する。【選択図】図７
2009009285.tif 000002
【特許請求の範囲】
【請求項１】
複数個の鶏卵を封入した包装容器へ、その生産者や賞味期限、包装日、包装場所などの必要な表示ラベルを一緒に封入又は貼り付けた包装鶏卵の販売促進システムであって、
上記鶏卵のうちの少なくとも１個だけを養鶏用飼料に加える卵黄着色剤により、その卵黄の発色カラーが残余のそれと特別に異なる鶏卵として予じめ混在させると共に、
その卵黄の発色カラーが特別に異なる鶏卵を封入した包装容器の上記表示ラベルには、包装鶏卵の販売店だけが残余のそれと識別できる識別子を予じめ付与して、
上記包装鶏卵の購買者が購買した鶏卵を割り、その卵黄の発色カラーが特別に異なる鶏卵を発見して、その包装容器の表示ラベルを当選券として販売店へ申告した時、上記購買者に景品やその他の特典を贈呈することを特徴とする包装鶏卵の販売促進システム。
【請求項２】
養鶏用飼料に加える卵黄着色剤をパプリカやニンジン、トウガラシ、エビ殻、カニ殻、赤色酵母、その他の赤色系キサントフィル着色剤として、その鶏卵の卵黄をカラーファンにおける濃度が約１６以上の赤色に濃く発色させたことを特徴とする請求項１記載の包装鶏卵の販売促進システム。
【発明の詳細な説明】
【技術分野】
【０００１】
本発明は包装鶏卵の販売促進システムに係り、殊更鶏卵そのものを抽選媒体として、その１個づつ割る際の興味と期待感を抱かせることにより、購買者の購買意欲をそそるように工夫したものである。
【背景技術】
【０００２】
一般に、鶏卵の卵黄は養鶏用飼料を与え始めてから、約２〜３週間経過後に発色し、やがて安定すると言われており、その卵黄のカラーファン（色見本）における濃度が、約１０〜１２の黄色として販売されている通常である。
【０００３】
又、特表２００１−５１７９３３号公報や特開２００２−１７１９１７号公報に見られるとおり、卵黄の発色カラーを養鶏用飼料の工夫に基いて、購買者の嗜好に合わせ、その鶏卵の購買意欲をそそるそれに調整することも提案されている。
【特許文献１】特表２００１−５１７９３３号公報
【特許文献２】特開２００２−１７１９１７号公報
【特許文献３】特開２００５−１５７４９６号公報
【発明の開示】
【発明が解決しようとする課題】
【０００４】
ところが、鶏卵は旧態依然として透明なプラスチックシートから成る包装容器へ、その悉く同じ複数個を封入し、包装鶏卵として店頭に陳列・販売されているに過ぎない。
【０００５】
そのため、包装鶏卵の購買者がその購買した鶏卵を１個づつ割る使用時に、何らの興味や新鮮さ、期待感を抱くこともない。又、鶏卵の生産者（養鶏業者）や販売店としても、卵黄の発色カラーがカラーファンにおける濃度の約１３、１４として比較的濃く調整された鶏卵や、或る一定の栄養成分が多く含有された鶏卵を、通常卵（普通卵）よりも高価な特殊卵として販売する方法以外に、その販売促進上役立つ要素を見い出すことができない。
【０００６】
この点、鶏卵も含む「日配食品の販売促進方法」が、特開２００５−１５７４９６号公報に開示されており、これでは抽選の結果、当選した購買者に賞品を与えるようになっている点で、本発明と基本的に近似する公知技術であると考えられる。
【０００７】
しかし、この公知発明の構成では日配食品の包装容器（鶏卵のパッケージ容器）（１５）に抽選用識別番号（１４）を付与することと、賞味期限（１２）毎に当選番号をＷｅｂサーバ（１６）のホームページ（１７）に掲示することとが不可欠であり、その販売促進システムの構築上複雑・高価となる。
【０００８】
又、購買者が目視できる抽選用識別番号（１４）を包装容器（１５）へ付与する構成であるからには、その内容物を何も鶏卵のみに限らなければならない理由や必要性がなく、鶏卵と直接結び付く有機的な関係に乏しい。
【０００９】
更に、購買者（１８ａ）（１８ｂ）としてはコンピューター又は携帯電話を使って、当選番号が掲示されたＷｅｂサーバ（１６）のホームぺージ（１７）に一々アクセスする必要があり、甚だ煩らわしいばかりでなく、賞味期限又は消費期限（１２）が短かい鶏卵を対象としていることとも相俟って、特に上記コンピューターや携帯電話の操作に慣れない主婦、老人並びに子供の場合、時機の利益（賞品の入手）を失なってしまいやすく、その意味からも広く購買者の購買意欲をそそることは困難である。
【課題を解決するための手段】
【００１０】
本発明はこのような課題の改良を目的としており、その目的を達成するために、請求項１では複数個の鶏卵を封入した包装容器へ、その生産者や賞味期限、包装日、包装場所などの必要な表示ラベルを一緒に封入又は貼り付けた包装鶏卵の販売促進システムであって、
上記鶏卵のうちの少なくとも１個だけを養鶏用飼料に加える卵黄着色剤により、その卵黄の発色カラーが残余のそれと特別に異なる鶏卵として予じめ混在させると共に、
【００１１】
その卵黄の発色カラーが特別に異なる鶏卵を封入した包装容器の上記表示ラベルには、包装鶏卵の販売店だけが残余のそれと識別できる識別子を予じめ付与して、
【００１２】
上記包装鶏卵の購買者が購買した鶏卵を割り、その卵黄の発色カラーが特別に異なる鶏卵を発見して、その包装容器の表示ラベルを当選券として販売店へ申告した時、上記購買者に景品やその他の特典を贈呈することを特徴とする。
【００１３】
又、上記請求項１に従属する請求項２では、養鶏用飼料に加える卵黄着色剤をパプリカやニンジン、トウガラシ、エビ殻、カニ殻、赤色酵母、その他の赤色系キサントフィル着色剤として、その鶏卵の卵黄をカラーファンにおける濃度が約１６以上の赤色に濃く発色させたことを特徴とする。
【発明の効果】
【００１４】
請求項１の上記構成によれば、一例として包装容器に合計１０個封入した鶏卵のうち、その少なくとも１個だけ卵黄の発色カラーが、残余の９個における卵黄の発色カラーと特別に異なるものとして混在しており、包装鶏卵の購買者にとって購買した鶏卵を割るまでの間、その卵黄の発色カラーが何色であるかを知ることはできない。
【００１５】
他方、上記卵黄の発色カラーが特別に異なる鶏卵を封入た包装容器の表示ラベルには、その発色カラーの特別に異なる鶏卵を封入していない包装容器の表示ラベルと識別可能な識別子が付与されており、その識別子は包装鶏卵の販売店だけが識別でき、購買者には意味不明として言わば秘蔵された状態にある。
【００１６】
そのため、外観上悉く同じ上記合計１０個の鶏卵そのものを、販売促進に役立つ抽選媒体として活用することができ、冒頭に述べた特開２００５−１５７４９６号発明のような抽選用識別番号を、その鶏卵の包装容器へ特別に付与する必要がない。
【００１７】
しかも、鶏卵は購買者の使用上必らず１個づつ割られるものであり、その使用時に初めて卵黄の発色カラーが判明するため、初回の購買者には新鮮なビックリ感を与えることででき、又リピーターには興味と期待感を抱かせ得ることが必至である。
【００１８】
そして、鶏卵を割った結果、その卵黄の発色カラーが特別に異なる鶏卵を発見した場合、これを言わば当選とし、その鶏卵の包装容器に封入又は貼り付けられている表示ラベルを引換券として、購買者が販売店へ持参・申告することにより、これの真偽を販売店が識別子に基き確認の上、その購買者へ景品やその他の特典を贈与すれば良い。
【００１９】
つまり、購買者としては鶏卵の賞味期限又は消費期限に関係なく、その包装容器の表示ラベルを販売店へ持参・申告すれば足り、冒頭に述べた特開２００５−１５７４９６号発明のようなコンピュータや携帯電話を操作して、Ｗｅｂサーバのホームページへアクセスすることにより、その抽選用識別番号の当落を一々調べる煩らわしさがなく、誰でも容易に便利良く参加でき、そのための販売促進システムとしても安価に構築し得る効果がある。
【００２０】
その場合、上記少なくとも１個の鶏卵における卵黄の発色カラーは、残余のそれと特別に異なる限り、通常の黄色を除く何色であってもさしつかえないが、殊更請求項２に記載の赤色系キサントフィル着色剤により赤色として発色させることが好ましい。
【００２１】
その特別に異なる卵黄の発色カラーが、例えば緑色系や黒色系、紫色系であると、購買者に鶏卵の腐蝕色として誤解されるおそれなしとせず、その点赤色として、特にカラーファンにおける約１６以上の高濃度に発色させるならば、如何なる購買者に対しても普遍的な好感を与えることができ、しかも一見して通常卵（普通卵）の黄色と鮮やかに識別できるからである。
【発明を実施するための最良の形態】
【００２２】
以下、本発明に係る包装鶏卵の販売促進システムを詳述すると、先ず鶏卵の生産者（養鶏業者）は例えば次のような養鶏用配合飼料を使い、その飼料中の主にコーングルテンミールやコーングルテンフィード、パプリカ抽出処理物を卵黄着色剤（キサントフィル着色料）として、成鶏に約２〜３週間投餌することにより、その卵黄（１０）の発色カラーがカラーファンにおける濃度：約１０〜１２の黄色となる鶏卵（以下、通常発色卵黄品という。）（Ｅ１）を採卵する。図１はこれの割った状態を示している。
【００２３】
2009009285.tif 000003
【００２４】
他方、このような通常発色卵黄品（Ｅ１）の採卵とは別にして、上記配合飼料のうちの赤色系キサントフィル着色料であるパプリカ抽出処理物だけを高比率に多く加えるか、又はその他の赤色系キサントフィル着色料であるトウガラシやニンジン、エビ殻、カニ殻、赤色酵母などの１種以上も加えて、やはり成鶏に約２〜３週間投餌することにより、その卵黄（１０）の発色カラーが上記通常発色卵黄品（Ｅ１）の黄色と特別に異なる赤色として、カラーファンにおける濃度：約１６以上の濃く鮮やかに発色することとなる鶏卵（以下、特異発色卵黄品という。）（Ｅ２）を採卵する。図２はこれの割った状態を示している。
【００２５】
但し、特異発色卵黄品（Ｅ２）における卵黄（１０）の発色カラーは上記通常発色卵黄品（Ｅ１）の黄色と特別に異なるそれである限り、赤色以外のカラーとして約１６以上の高濃度に発色させてもさしつかえないが、化学物質ではない天然のキサントフィル着色料を用いて、誰でも好感できる赤色に発色させることが好ましい。
【００２６】
何れにしても、養鶏上各別に採卵した通常発色卵黄品（Ｅ１）と特異発色卵黄品（Ｅ２）とは、外観上互いに同じ鶏卵であるため、その後の取扱い上これらを峻別管理して、次に上記通常発色卵黄品（Ｅ１）ばかりの複数個を、図３〜５のような透明のプラスチックシートから成る例えば１０個入りの包装容器（１１）へ封入する。
【００２７】
しかも、上記通常発色卵黄品（Ｅ１）を封入する包装容器（１１）にはその鶏卵の生産者や賞味期限、包装日、包装場所などの必要な情報（１２）を印刷した表示ラベル（Ｌ１）も一緒に封入するか、又はこのような表示ラベル（Ｌ１）を包装容器（１１）の表面へ貼り付けることにより、第１包装鶏卵（Ｐ１）として販売店の店頭に陳列・販売する。
【００２８】
又、このような第１包装鶏卵（Ｐ１）とは別に、やはり１０個入りの包装容器（１１）へ上記通常発色卵黄品（Ｅ１）と一緒に、少なくとも１個の上記特異発色卵黄品（Ｅ２）を図６〜８のような混在状態に封入し、これを第２包装鶏卵（Ｐ２）として、上記第１包装鶏卵（Ｐ１）と共通の店頭に陳列・販売するのである。その特異発色卵黄品（Ｅ２）を混在させる個数により、後述の当選比率が変ることは言うまでもない。
【００２９】
その場合、第２包装鶏卵（Ｐ２）の包装容器（１１）へ一緒に封入又は貼り付ける表示ラベル（Ｌ２）だけには、その鶏卵の生産者や賞味期限、包装日、包装場所などの必要な情報（１２）のみならず、鶏卵の販売店が上記第１包装鶏卵（Ｐ１）の表示ラベル（Ｌ１）と識別可能な識別子（１３）をも付与しておく。
【００３０】
茲に、識別子（１３）は販売店によってのみ識別でき、鶏卵の購買者にとって意味不明であれば足りるため、例えば文字、図形若しくは記号又はこれらと色彩との結合から成る標章として、その表示ラベル（Ｌ２）の表面へ目視できる状態に印刷してもさしつかえない。但し、購買者がその意味を学習してしまうおそれに対しては、上記識別子（１３）を定期的に変更したり、或いは目視不能な隠匿状態に付与したりすれば良い。
【００３１】
何れにしても、上記第１、２包装鶏卵（Ｐ１）（Ｐ２）は販売店の店頭に混在状態として陳列・販売されることとなり、その販売中購買者において両者を識別することは不可能であるため、鶏卵そのものを抽選媒体として活用することができる。
【００３２】
そして、鶏卵の販売店としては購買者が上記第２包装鶏卵（Ｐ２）の特異発色卵黄品（Ｅ２）を発見した場合に言わば当選として、その第２包装鶏卵（Ｐ２）の表示ラベル（Ｌ２）を店頭へ持参・申告すれば、これとの引き換えに景品やその他の特典を贈与する旨を、上記第１、２包装鶏卵（Ｐ１）（Ｐ２）の表示ラベル（Ｌ１）（Ｌ２）に記載しておくほか、ウェブサーバのホームページや新聞の折込みチラシ、通信販売誌、テレビ放映、その他の各種広告メディアを通じて周知させておくのである。
【００３３】
そうすれば、上記第１、２包装鶏卵（Ｐ１）（Ｐ２）のうち、その偶然に第２包装鶏卵（Ｐ２）を購買した購買者が持ち帰り、包装容器（１１）を開封して、鶏卵を１個づつ割れば、その上記特異発色卵黄品（Ｅ２）を発見することになる。その場合に、第２包装鶏卵（Ｐ２）の包装容器（１１）に付属している表示ラベル（Ｌ２）を、言わば当選券として販売店へ持参・申告すれば、これを販売店が上記識別子（１３）に基いて確認の上、その第２包装鶏卵（Ｐ２）の購買者に景品やその他の特典を贈与するのである。
【００３４】
その結果、購買者には鶏卵を割ることの興味と期待感が生まれ、又たとえ第１包装鶏卵（Ｐ１）の購買により落選したとしても、購買上の不利益を受けることはなく、販売店としても鶏卵の販売促進に役立てることができる。
【図面の簡単な説明】
【００３５】
【図１】鶏卵の通常発色卵黄品を割った状態として示す平面図である。
【図２】鶏卵の特異発色卵黄品を割った状態として示す平面図である。
【図３】通常発色卵黄品ばかりを封入した第１包装鶏卵の平面図である。
【図４】図３の４−４線拡大断面図である。
【図５】第１包装鶏卵の表示ラベルを示す正面図である。
【図６】特異発色卵黄品を混入した第２包装鶏卵の平面図である。
【図７】図６の７−７線拡大断面図である。
【図８】第２包装鶏卵の表示ラベルを示す正面図である。
【符号の説明】
【００３６】
（１０）・卵黄
（１１）・包装容器
（１２）・情報
（１３）・識別子
（Ｅ１）・通常発色卵黄品（鶏卵）
（Ｅ２）・特異発色卵黄品（鶏卵）
（Ｌ１）（Ｌ２）・表示ラベル                                                    （Ｐ１）・第１包装鶏卵
（Ｐ２）・第２包装鶏卵
【図１】
2009009285.tif 000004
【図２】
2009009285.tif 000005
【図３】
2009009285.tif 000006
【図４】
2009009285.tif 000007
【図５】
2009009285.tif 000008
【図６】
2009009285.tif 000009
【図７】
2009009285.tif 000010
【図８】
2009009285.tif 000011
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
複数個の鶏卵を封入した包装容器へ、その生産者や賞味期限、包装日、包装場所などの必要な表示ラベルを一緒に封入又は貼り付けた包装鶏卵の販売促進方法であって、
上記鶏卵のうちの少なくとも１個だけを養鶏用飼料に加える卵黄着色剤により、その卵黄の発色カラーが残余のそれと特別に異なる鶏卵として予じめ混在させると共に、
その卵黄の発色カラーが特別に異なる鶏卵を封入した包装容器の上記表示ラベルには、包装鶏卵の販売店だけが残余のそれと識別できる識別子を予じめ付与して、
上記包装鶏卵の購買者が購買した鶏卵を割り、その卵黄の発色カラーが特別に異なる鶏卵を発見して、その包装容器の表示ラベルを当選券として販売店へ申告した時、上記購買者に景品やその他の特典を贈呈することを特徴とする包装鶏卵の販売促進方法。
【請求項２】
養鶏用飼料に加える卵黄着色剤をパプリカやニンジン、トウガラシ、エビ殻、カニ殻、赤色酵母、その他の赤色系キサントフィル着色剤として、その鶏卵の卵黄をカラーファンにおける濃度が約１６以上の赤色に濃く発色させたことを特徴とする請求項１記載の包装鶏卵の販売促進方法。
【手続補正３】
【補正対象書類名】明細書
【補正対象項目名】０００１
【補正方法】変更
【補正の内容】
【０００１】
本発明は包装鶏卵の販売促進方法に係り、殊更鶏卵そのものを抽選媒体として、その１個づつ割る際の興味と期待感を抱かせることにより、購買者の購買意欲をそそるように工夫したものである。
【手続補正４】
【補正対象書類名】明細書
【補正対象項目名】０００７
【補正方法】変更
【補正の内容】
【０００７】
しかし、この公知発明の構成では日配食品の包装容器（鶏卵のパッケージ容器）（１５）に抽選用識別番号（１４）を付与することと、賞味期限（１２）毎に当選番号をＷｅｂサーバ（１６）のホームページ（１７）に掲示することとが不可欠であり、その販売促進方法の構築上複雑・高価となる。
【手続補正５】
【補正対象書類名】明細書
【補正対象項目名】００１０
【補正方法】変更
【補正の内容】
【００１０】
本発明はこのような課題の改良を目的としており、その目的を達成するために、請求項１では複数個の鶏卵を封入した包装容器へ、その生産者や賞味期限、包装日、包装場所などの必要な表示ラベルを一緒に封入又は貼り付けた包装鶏卵の販売促進方法であって、
上記鶏卵のうちの少なくとも１個だけを養鶏用飼料に加える卵黄着色剤により、その卵黄の発色カラーが残余のそれと特別に異なる鶏卵として予じめ混在させると共に、
【手続補正６】
【補正対象書類名】明細書
【補正対象項目名】００１９
【補正方法】変更
【補正の内容】
【００１９】
つまり、購買者としては鶏卵の賞味期限又は消費期限に関係なく、その包装容器の表示ラベルを販売店へ持参・申告すれば足り、冒頭に述べた特開２００５−１５７４９６号発明のようなコンピュータや携帯電話を操作して、Ｗｅｂサーバのホームページへアクセスすることにより、その抽選用識別番号の当落を一々調べる煩らわしさがなく、誰でも容易に便利良く参加でき、そのための販売促進方法としても安価に構築し得る効果がある。
【手続補正７】
【補正対象書類名】明細書
【補正対象項目名】００２２
【補正方法】変更
【補正の内容】
【００２２】
以下、本発明に係る包装鶏卵の販売促進方法を詳述すると、先ず鶏卵の生産者（養鶏業者）は例えば次のような養鶏用配合飼料を使い、その飼料中の主にコーングルテンミールやコーングルテンフィード、パプリカ抽出処理物を卵黄着色剤（キサントフィル着色料）として、成鶏に約２〜３週間投餌することにより、その卵黄（１０）の発色カラーがカラーファンにおける濃度：約１０〜１２の黄色となる鶏卵（以下、通常発色卵黄品という。）（Ｅ１）を採卵する。図１はこれの割った状態を示している。